(57)【要約】 【課題】  簡単な操作で予め定める文字情報と、撮像部によって撮像された画像情報とを合成して、文字情報を含む画像情報を作成することができる携帯型情報処理装置を提供する。【解決手段】  カメラ部６によって所定の被写体を撮像して、第１の画像情報を取得する。制御部１０は、第１表示部４に予め定める文字情報に対応する項目を表示させる。操作者が第１操作部２を操作して、第１表示部４に表示される複数の項目のうちのいずれかを選択する指令を入力すると、制御部１０が選択された項目に対応する予め定める文字情報と、第１の画像情報とを合成して、第２の画像情報を生成する。このように内部側表示部４に表示される複数の項目のうちのいずれかを選択するという簡単な操作で、予め定める文字情報と第１の画像情報とを合成した合成画像を得ることができる。【選択図】      図１
2005063063.tif 000002
【特許請求の範囲】
【請求項１】
第１の画像情報を取得する撮像部と、
予め定める文字情報に対応する複数の項目を表示する表示部と、
前記表示部に表示される項目のうちのいずれかを選択する指令を入力する操作入力部と、
前記操作入力部によって入力された指令に基づいて、選択された項目に対応する予め定める文字情報と第１の画像情報とを合成して、第２の画像情報を生成する画像生成部とを有することを特徴とする携帯型情報処理装置。
【請求項２】
前記予め定める文字情報は、前記表示部によって暦を表示させるカレンダ情報を含むことを特徴とする請求項１記載の携帯型情報処理装置。
【請求項３】
前記表示部は、画像生成部が生成した第２の画像情報を表示することを特徴とする請求項１または２記載の携帯型情報処理装置。
【請求項４】
前記画像生成部によって生成された第２の画像情報を出力する出力部を有し、
前記画像生成部は、生成した第２の画像情報を予め定めるデータ形式にして、出力部に出力させることを特徴とする請求項１〜３のいずれかに記載の携帯型情報処理装置。
【請求項５】
前記出力部は、第２の画像情報を記憶可能な記憶媒体を、着脱自在に装着することを特徴とする請求項４記載の携帯型情報処理装置。
【請求項６】
撮像部を有する携帯型情報処理装置における画像合成方法であって、
所定の被写体を撮像部によって撮像して第１の画像情報を取得し、
表示部によって予め定める文字情報に対応する複数の項目を表示させ、
操作入力部によって入力される指令に基づいて、表示された前記項目のうちのいずれかを選択し、
画像合成部によって、選択された項目に対応する予め定める文字情報と第１の画像情報とを合成して、第２の画像情報を生成する画像合成方法。
【発明の詳細な説明】
【技術分野】
【０００１】
本発明は、カメラを有する携帯型情報処理装置およびその画像合成方法に関する。
【背景技術】
【０００２】
第１従来の技術として、たとえばカメラおよびスキャナなどによって取得した画像情報と、キーボードなどによってメーセージおよび宛先などの文字情報とを、たとえばサーバおよび事業者に送信する端末装置がある（たとえば特許文献１，２参照）。
【０００３】
第１従来の技術の端末装置では、画像情報と文字情報とを合成することができないという問題がある。このような問題に鑑み、第２の従来の技術として、カメラによって取得した画像情報と、背景画像と、たとえばタッチパネルおよびキーボードなどによって入力されるメッセージとを組み合わせて合成画像を作成して、たとえばセンタに送信するマルチメディア端末がある（たとえば特許文献３参照）。
【０００４】
【特許文献１】特開２００１−３５０６９１号公報
【特許文献２】特開２００２−４４３５５号公報
【特許文献３】特開２０００−１３４４５６号公報
【発明の開示】
【発明が解決しようとする課題】
【０００５】
前述した第２の従来の技術では、マルチメディア端末において前記画像情報と、背景画像と、メッセージとを合成することができる。しかしながら、文字情報であるメッセージを入力するためには、端末装置に設けられるキーボードおよびタッチパネルなどの入力部を操作して、１文字づつ入力する必要があり、合成画像を作成するために手間がかかり、不慣れな操作者にとって使いづらいという問題がある。
【０００６】
カメラを有する携帯電話装置などの携帯型情報処理装置においては、カメラの撮像画素数の向上に伴って、カメラによって取得した画像情報の利用範囲を拡大するために、画像情報と、文字情報とを容易に合成することができるものが臨まれている。たとえば携帯電話装置などの携帯型情報処理装置では、文字情報を入力するための入力部として設けられる操作キーが、パーソナルコンピュータなどによって実現される前記マルチメディア端末の操作キーよりも少なく構成される。このため前記携帯型情報処理装置において、操作キーを用いて１文字づつメッセージを入力することは、操作者にとって使いづらいという問題がある。
【０００７】
本発明の目的は、簡単な操作で予め定める文字情報と、撮像部によって撮像された画像情報とを合成して、文字情報を含む画像情報を作成することができる携帯型情報処理装置および画像合成方法を提供することである。
【課題を解決するための手段】
【０００８】
本発明は、第１の画像情報を取得する撮像部と、
予め定める文字情報に対応する複数の項目を表示する表示部と、
前記表示部に表示される項目のうちのいずれかを選択する指令を入力する操作入力部と、
前記操作入力部によって入力された指令に基づいて、選択された項目に対応する予め定める文字情報と第１の画像情報とを合成して、第２の画像情報を生成する画像生成部とを有することを特徴とする携帯型情報処理装置である。
【０００９】
また本発明は、前記予め定める文字情報は、前記表示部によって暦を表示させるカレンダ情報を含むことを特徴とする。
【００１０】
また本発明は、前記表示部は、画像生成部が生成した第２の画像情報を表示することを特徴とする。
【００１１】
また本発明は、前記画像生成部によって生成された第２の画像情報を出力する出力部を有し、
前記画像生成部は、生成した第２の画像情報を予め定めるデータ形式にして、出力部に出力させることを特徴とする。
【００１２】
また本発明は、前記出力部は、第２の画像情報を記憶可能な記憶媒体を、着脱自在に装着することを特徴とする。
【００１３】
また本発明は、撮像部を有する携帯型情報処理装置における画像合成方法であって、
所定の被写体を撮像部によって撮像して第１の画像情報を取得し、
表示部によって予め定める文字情報に対応する複数の項目を表示させ、
操作入力部によって入力される指令に基づいて、表示された前記項目のうちのいずれかを選択し、
画像合成部によって、選択された項目に対応する予め定める文字情報と第１の画像情報とを合成して、第２の画像情報を生成する画像合成方法である。
【発明の効果】
【００１４】
本発明によれば、撮像部は所定の被写体を撮像して、第１の画像情報を取得する。操作者が操作入力部を操作して、表示部に表示される複数の項目のうちのいずれかを選択する指令を入力すると、画像生成部が選択された項目に対応する予め定める文字情報と、第１の画像情報とを合成して、第２の画像情報を生成する。このように本発明では、第３の従来の技術のように合成画像を生成するために文字情報を１文字ずつ入力する必要がなく、表示部に表示される複数の項目のうちのいずれかを選択するという簡単な操作で、予め定める文字情報と第１の画像情報とを合成した合成画像である第２の画像情報を得ることができる。したがって、文字情報を１文字づつ入力する場合と比較して、短時間で第２の画像情報を生成することができる。
【００１５】
たとえば携帯電話装置などの携帯型情報処理装置においては、操作入力部として設けられる操作キーの数は、たとえばパーソナルコンピュータに設けられるキーボートの操作キー数と比較して少ないが、前述の構成とすることによって、このような操作キーの数が少ない装置においても、文字情報と、撮像した画像情報とが合成された合成画像を容易な操作で得ることができる。
【００１６】
またたとえば表示部によって第２の画像情報を表示させて、第２の画像情報を操作者に確認させてもよい。またたとえば携帯型情報処理装置が携帯型通信装置である場合、生成した第２の画像情報を他の機器に送信し、他の機器において第２の画像情報を表示させてもよい。また第１の画像情報に、予め定める文字情報を合成して第２の画像情報を生成するので、たとえば第１の画像情報と予め定める文字情報と対応付けて、それぞれの情報を個別に扱う場合と比較して、情報としての扱いが容易となる。つまり第１の画像情報と予め定める文字情報とを単に対応付けた状態では、たとえば印刷装置などによって印刷するときにこの印刷装置に、これらを合成する機能が必要であるが、本発明のように第２の画像情報を生成すると、印刷処理が容易となる。
【００１７】
また本発明によれば、予め定める文字情報は、たとえば年、月、日および曜日など情報を含む暦を、前記表示部によって表示させるカレンダ情報を含むので、撮像部によって取得した第１の画像情報に、暦に関する情報が含まれるオリジナルのカレンダを作成することができる。このように撮像部によって取得した第１の画像情報を用いてオリジナルのカレンダを生成することができるので、取得した第１の画像情報の利用範囲が広がる。
【００１８】
また本発明によれば、画像合成部によって生成された第２の画像情報は、表示部に表示されるので、操作者は表示部を見ることによって第２の画像情報を確認することができる。第２の画像情報を確認することによって、たとえば第２の画像情報を印刷する場合などにおいて、印刷するか否かを決定する判断材料とすることができ、これによって生成した第２の画像情報を無駄に印刷してしまうことを防止することができる。
【００１９】
また本発明によれば、画像生成部によって生成された第２の画像情報は、画像生成部によって予め定めるデータ形式に変換して出力部から出力される。前記予め定めるデータ形式は、たとえば他の機器において扱うことができるデータ形式とし、これによって生成した第２の画像情報の利用範囲が広がる。たとえば前記データ形式を、プリンタなどの印刷装置において、直接印刷可能なデータ形式とすると、たとえばパーソナルコンピュータなどに第２の画像情報を読取らせてから印刷装置によって印刷する場合と比較して、第２の画像情報を印刷する手間を簡略化することができる。
【００２０】
また本発明によれば、出力部に記憶媒体を装着した状態で、出力部を介して記憶媒体に第２の画像情報を記憶部に記憶させることができる。前記記憶媒体は、たとえば不揮発性の半導体メモリによって実現される。記憶媒体は、出力部に着脱可能に装着されるので、第２の画像情報を記憶部に記憶させた後、出力部から離脱させて持ち運ぶことができる。たとえば第２の画像情報を他の機器において利用する場合、たとえば印刷する場合などにおいて、携帯型情報処理装置と、他の機器とをケーブルなどによって接続しなくても、第２の画像情報を記憶させた記憶媒体を他の機器に読取らせることによって、他の機器において第２の画像情報を容易に利用することができる。したがって第２の画像情報の利用範囲が広がる。
【００２１】
また本発明によれば、撮像部は所定の被写体を撮像して、第１の画像情報を取得する。操作者が操作入力部を操作して、表示部に表示される複数の項目のうちのいずれかを選択する指令を入力すると、画像生成部が選択された項目に対応する予め定める文字情報と、第１の画像情報とを合成して、第２の画像情報を生成する。このように本発明では、第３の従来の技術のように合成画像を生成するために文字情報を１文字ずつ入力する必要がなく、表示部に表示される複数の項目のうちのいずれかを選択するという簡単な操作で、予め定める文字情報と第１の画像情報とを合成した合成画像である第２の画像情報を得ることができる。したがって、文字情報を１文字づつ入力する場合と比較して、短時間で第２の画像情報を生成することができる。
【００２２】
たとえば携帯電話装置などの携帯型情報処理装置においては、操作入力部として設けられる操作キーの数は、たとえばパーソナルコンピュータに設けられるキーボートの操作キー数と比較して少ないが、前述の構成とすることによって、このような操作キーの数が少ない装置においても、文字情報と、撮像した画像情報とが合成された合成画像を容易な操作で得ることができる。
【発明を実施するための最良の形態】
【００２３】
図１は、本発明の実施の一形態の携帯型情報処理装置１の電気的な構成を表すブロック図である。本実施の形態は、携帯型情報処理装置１を、カメラを搭載した折り畳み型の携帯電話機に適用した場合の一例である。携帯型情報処理装置１は、操作入力部である第１操作部２および第２操作部３と、表示部である第１表示部４および第２表示部５と、撮像部であるカメラ部６および画像処理部７と、第１メモリ８と、第２メモリ９と、制御部１０と、第１表示ドライバ部１１と、第２表示ドライバ部１２と、第１バックライトユニット１３と、第２バックライトユニット１４と、状態検出スイッチ１５と、アンテナ１６と、無線部１７と、通信制御部１８と、音声入力部１９と、音声出力部２０と、データ出力部２１とを含む。
【００２４】
第１操作部２は、数字データ、文字データ、および携帯型情報処理装置１への指令などの所定の情報を入力するための複数の操作キー２ａ（図４参照）を有し、操作者が操作キー２ａを操作することによって、後述する制御部１０に各操作キー２ａに対応した指示信号が与えられる。
【００２５】
第２操作部３は、携帯型情報処理装置１への指令などの所定の情報を入力するための複数の操作キーを有するキー操作部２５およびシャッタキー２６を有し、操作者がキー操作部２５およびシャッタキー２６を操作することによって、後述する制御部１０にキー操作部２５の各操作キーおよびシャッタキー２６に対応した指示信号が与えられる。
【００２６】
第１表示部４は、前記第１操作部２の操作によって入力される情報に基づいて、画像情報および文字情報を含む表示内容を表示する。第１表示部４は、たとえばカラー表示可能な半透過半反射型液晶表示素子によって実現される。
【００２７】
第２表示部５は、前記第２操作部３の操作によって入力される情報に基づいて、表示内容を表示する。第２表示部５は、たとえばカラー表示可能な半透過半反射型液晶表示素子によって実現される。前述した第１表示部４および第２表示部５は、カラー表示可能な半透過半反射型液晶表示素子によって実現されるが、必ずしもこれに限定されるものではない。たとえば第１表示部４および第２表示部５の少なくともいずれか１つを、カラー表示または白黒表示可能な透過型液晶表示素子、反射型液晶表示素子、エレクトロルミネッセンス（Electro Luminescent；略称ＥＬ）素子、および白黒表示可能な半透過半反射型液晶表示素子のうちのいずれか１つによって実現してもよい。
【００２８】
カメラ部６は、入射する光を電気的な信号に変換し、第１の画像情報を表す画像データを生成する。カメラ部６は、撮像レンズと、電荷結合素子（Charge Coupled Device；略称ＣＣＤ）イメージセンサおよび相補型モス（Complementary Metal Oxide
Semiconductor；略称ＣＭＯＳ）イメージセンサなどの撮像素子と、赤色（Ｒ），緑色（Ｇ）および青色（Ｂ）の３色のカラーフィルタと、マイクロレンズアレイとを有する。カメラ部６は、所定の被写体で反射されて撮像レンズに入射した光を、カラーフィルタを通してＲ，ＧおよびＢの３色光にし、Ｒ，ＧおよびＢの３色光をそれぞれ前記撮像素子によって電気信号に変換する。
【００２９】
画像処理部７は、増幅部、アナログ／デジタル（Analog／Digital；略称Ａ／Ｄ）変換部および信号処理部を含む。増幅部は、カメラ部６から与えられるＲ，ＧおよびＢの３色光のそれぞれに対応した電気信号を増幅し、Ａ／Ｄ変換部に与える。Ａ／Ｄ変換部は、増幅部で増幅されたＲ，ＧおよびＢに対応したアナログの電気信号をデジタルの電気信号に変換し、第１の画像情報を表す画像データを生成して信号処理部に与える。信号処理部は、Ａ／Ｄ変換部から与えられる画像データに対して、画素の補間処理などの処理を行う。また画像処理部７は、制御部１０から与えられる制御信号に基づいて、信号処理を施した画像データを第１メモリ８に与える。
【００３０】
第１メモリ８は、画像処理部７からたとえば予め定める間隔で連続的に与えられる第１の画像情報である画像データを一時的に記憶する。第１メモリ８は、複数画面分の画像データを記憶している。第１メモリ８に記憶される画像データのうち、時間的に古い画像データは消去される、あるいは時間的に古い画像データに時間的に最も新しい画像データが上書きされることによって、第１メモリ８には一時的に画像データが記憶される。第１メモリ８は、たとえばスタティックランダムアクセスメモリ（Static Random Access
Memory；略称ＳＲＡＭ）などの揮発性メモリによって実現される。
【００３１】
第２メモリ９は、第１操作部２および第２操作部３のいずれか一方によって入力された情報、たとえばカメラ部６で撮像された画像を保存する指示が入力された場合に、この指示に応答した制御部１０によって与えられる制御信号に基づいて第１メモリ８に記憶された画像データのうち所定の画像データを保存する。また第２メモリ９には、第１操作部２によって入力された文字データ、通信制御部１８を介して受信した画像データおよび文字データ、および予め定める文字情報が記憶される。予め定める文字情報は、前記表示部によって暦を表示させるカレンダ情報と、表示部によって予め定める文字列を表示させる定型文情報とを含む。
【００３２】
前記第２メモリ９は、たとえばフラッシュメモリなどの不揮発性メモリによって実現される。たとえば前述した第２操作部３のうちシャッタキー２６、および第１操作部２に設けられる後述するシャッタキー４４のうちいずれかを操作することによって、カメラ部６によって撮像されて取得する第１の画像情報を第２メモリ９に保存することができる。
【００３３】
前記第２メモリ９に記憶される文字データには、電話帳データが含まれる。電話帳データは、電話番号情報、電子メールのアドレス情報およびこれらの電話番号情報および電子メールのアドレス情報に対応する識別情報、たとえば氏名の情報などを含む。
【００３４】
制御部１０は、中央演算処理装置（Central Processing Unit；略称ＣＰＵ）を含んで実現される。制御部１０は、内部に制御プログラムを保存する保存領域を有し、この保存されている制御プログラムに基づいて、携帯型情報処理装置１を構成する各部、つまり第１操作部２、第２操作部３、カメラ部６、画像処理部７、第１メモリ８、第２メモリ９、第１表示ドライバ部１１、第２表示ドライバ部１２、第１バックライトユニット１３、第２バックライトユニット１４、通信制御部１８およびデータ出力部２１の制御を行う。制御部１０は、第１操作部２および第２操作部３によって入力される情報、および後述する状態検出スイッチ１５に応答して携帯型情報処理装置１を構成する各部に制御信号を与えて、その動作を制御する。前記制御プログラムには、電子メールを送受信するためのプログラムが含まれ、制御部１０は、後述する通信制御部１８および無線部１７を介して、電子メールを所定の通知先に送信し、また電子メールを受信することができる。
【００３５】
また制御部１０は、前記制御プログラムに基づいて、第１の画像情報と、予め定める文字情報とを合成する画像生成部として機能する。制御部１０は、前記第１操作部２によって入力された指令に基づいて、予め定める文字情報を前記第２メモリ９から読み出し、この予め定める文字情報と、第１の画像情報とを合成して、第２の画像情報を生成する。制御部１０は、第１操作部２によって入力される指令に基づいて、生成された第２の画像情報を、第２メモリ９およびデータ出力部２１に装着される着脱メモリの少なくとも一方に記憶させる。前記制御部１０は、前記カメラ部６によって取得した第１の画像情報に識別番号を付与した状態で、前記第２メモリ９および着脱メモリの少なくともいずれか一方に記憶させる。
【００３６】
また制御部１０は、第１操作部２および第２操作部３のうちいずれか一方によって入力されるカメラ部６によって撮像するための情報に応答する。カメラ部６によって撮像するための情報が第１操作部２によって入力された場合には、制御部１０は、この第１操作部２に対応する第１表示部４に前記カメラ部６によって撮像した画像を表示させる。カメラ部６で撮像するための情報が第２操作部３によって入力された場合には、制御部１０は、この第２操作部３に対応する第２表示部５に前記カメラ部６で撮像した画像を表示させる。したがって操作者は、第１操作部２または第２操作部３から所定の情報を入力することができるので、携帯電話機の操作性が向上する。
【００３７】
第１操作部２によってカメラ部６で撮像するための情報が入力された場合には、制御部１０は、第１メモリ８に記憶された画像データを、第１表示ドライバ部１１に与える。第２操作部３によってカメラ部６で撮像するための情報が入力された場合には、制御部１０は、第１メモリ８に記憶された画像データを、第２表示ドライバ部１２に与える。
【００３８】
第１表示ドライバ部１１は、前記画像データおよび文字データに基づいて、第１表示部４の各画素電極に対して駆動電圧を印加する。第２表示ドライバ部１２は、前記画像データおよび文字データに基づいて第２表示部５の各画素電極に対して駆動電圧を印加する。これによって第１表示部４および第２表示部５のうち少なくともいずれか一方に、所定の表示内容が表示される。前記所定の表示内容には、前記予め定める文字情報に対応する複数の項目が含まれる。第１表示部４は、第１表示ドライバ部１１によって駆動され、カメラ部６で撮像された画像を表示する。第２表示部５は、第２表示ドライバ部１２によって駆動され、カメラ部６で撮像された画像を表示する。
【００３９】
第１バックライトユニット１３は、表示面側から臨んで第１表示部４の背後、言い換えると第１表示部４に表示される表示内容を目視可能な側から見て第１表示部４の背後に設けられ、第１表示部４に光を照射する。第２バックライトユニット１４は、表示面側から臨んで第２表示部５の背後、言い換えると第２表示部５に表示される表示内容を目視可能な側から見て第２表示部５の背後に設けられ、第２表示部５に光を照射する。第１および第２バックライトユニット１３，１４は、いわゆるサイドライトタイプのバックライトユニットである。これら第１および第２バックライトユニット１３，１４は、発光ダイオードなどの発光素子と光学フィルタなどで構成した導光板とを含んで構成され、前記発光素子を導光板の厚み方向に垂直な方向の側部に配置して、その発光素子が発する光を導光板に形成したパターンによって表示面に導き、バックライトとして照射する。
【００４０】
第１および第２バックライトユニット１３，１４には制御部１０から制御信号が与えられ、発光素子の点灯／消灯、および輝度調整などが行なわれる。第１および第２バックライトユニット１３，１４を設けることによって、携帯型情報処理装置１の周囲が暗い場合でも、第１表示部４および第２表示部５の少なくともいずれか一方に表示される表示内容を見やすくすることができ、視認性が向上する。
【００４１】
前述した第１および第２バックライトユニット１３，１４は、各々独立して制御部１０によって制御される。第１表示部４に所定の表示内容が表示されている場合には、制御部１０は、第１バックライトユニット１３の発光素子を点灯させる。第２表示部５に所定の表示内容が表示されている場合には、制御部１０は、第２バックライトユニット１４の発光素子を点灯させる。
【００４２】
第１および第２バックライトユニット１３，１４の各発光素子は、操作者によってこれらの発光素子を消灯するための情報が第１操作部２または第２操作部３によって入力されるまで点灯する構成とする。第１および第２バックライトユニット１３，１４の発光素子は、点灯してから予め定める時間が経過すると、制御部１０によって消灯される構成としてもよい。
【００４３】
状態検出スイッチ１５は、後述する第１および第２ケーシング３２，３３の折り畳み状態および展開状態を検出する判定手段である状態検出部の一部を構成する。この状態検出部は、たとえば第２ケーシング３３に設けられる突起部、第１ケーシング３２に設けられる孔部、状態検出スイッチ１５、および制御部１０を含み構成される。制御部１０は、前記孔部に挿入可能な突起部の位置、換言すれば状態検出スイッチ１５のスイッチング状態に基づいて、たとえば個別接点間に流れる電流を検出可能に構成される。
【００４４】
制御部１０は、個別接点間に流れる電流を検出することによって、電流が流れれば第１および第２ケーシング３２，３３が折り畳み状態であると判断する。第１および第２ケーシング３２，３３が展開状態である場合には、個別接点間に電流を流すことができない。したがって制御部１０は、第１および第２ケーシング３２，３３が折り畳み状態でないとつまり展開状態であると判断する。このように携帯型情報処理装置１においては、制御部１０が、状態検出スイッチ１５のスイッチング状態に基づいて、第１および第２ケーシング３２，３３が展開状態であるのか折り畳み状態であるのかを簡単な構成で容易に検出することができる。
【００４５】
アンテナ１６は、無線電波を介して基地局と無線通信を行うときに、音声データ、文字データおよび画像データなどの通信情報を放射し、基地局からの通信情報を取得する。無線部１７は、基地局からアンテナ１６を介して取得した文字データ、画像データおよび音声データなどの通信情報を復調し、また後述する通信制御部１８から送られてくる文字データ、画像データおよび音声データなどの通信情報を変調して増幅し、アンテナ１６を介して基地局に送信する。
【００４６】
通信制御部１８は、無線部１７が復調した文字データおよび画像データなどの受信データを所定の通信プロトコルに基づいて制御部１０に送り、無線部１７が復調した音声データを音声出力部２０に送る。無線部１７、通信制御部１８を介して受信した相手先からの文字データおよび画像データなどの受信データは、第２メモリ９に保存される。また通信制御部１０は、第２メモリ９に保存される文字データ、画像データなどの送信データ、および後述する音声入力部１９から入力される音声データを無線部１７に送る。前述した制御部１０は、第１操作部２の操作キー２ａによって入力される電話番号情報を、通信制御部１８に与え、通信制御部１８は、無線部１７を制御して公衆回線網に接続する。音声入力部１９は、たとえばマイクロフォンによって実現され、音声を音声データに変換して入力する。音声出力部２０は、たとえばスピーカによって実現され、通信制御部１８から与えられる音声データに基づいて発音する。
【００４７】
データ出力部２１は、制御部１０によって生成された第２の画像情報、およびカメラ部６によって取得した第１の画像情報を出力する出力部である。データ出力部２１は、着脱メモリを着脱自在に装着するコネクタを含む。前記着脱メモリは、たとえば不揮発性を有する半導体メモリによって実現される。前記不揮発性の半導体メモリは、たとえばフラッシュメモリによって実現される。データ出力部２１は、制御部１０と電気的に接続される。制御部１０は、このデータ出力部２１のコネクタに装着される着脱メモリに、たとえば撮像部によって得られる第１の画像情報を含む予め定める情報、および前述した第２の画像情報を記憶させる、または着脱メモリに記憶されている情報を読み出す。
【００４８】
データ出力部２１に接続される着脱メモリに、たとえばカメラ部６によって撮像した第１の画像情報を記憶させることによって、保存することができる画像データの数を増加させ、また着脱メモリを介しての画像データを他の装置に移動させることが容易にできるようになり、利便性が向上する。また第２の画像情報を着脱メモリに記憶させることによって、第２の画像情報を着脱メモリに記憶させた後、データ出力部２１から離脱させて持ち運ぶことができる。たとえば第２の画像情報を他の機器において利用する場合、たとえば印刷する場合などにおいて、携帯型情報処理装置１と、他の機器とを通信ケーブルなどによって接続しなくても、第２の画像情報を記憶させた着脱メモリを他の機器に読取らせることによって、他の機器において第２の画像情報を容易に利用することができる。したがって第２の画像情報の利用範囲が広がる。
【００４９】
図２は携帯型情報処理装置１において、第２表示部５の表示画面とキー操作部２５との関係を表す図である。図３は、折り畳んだ状態の携帯型情報処理装置１のカメラ部６を含む一表面部を表す図である。図４は、展開状態の携帯型情報処理装置１を、その厚み方向一方側から見た図である。図５は、折り畳んだ状態の携帯型情報処理装置１の一側面図である。図６は、折り畳んだ状態の携帯型情報処理装置１の他側面図である。
【００５０】
携帯型情報処理装置１は、第１および第２ケーシング３２，３３とヒンジ部３４とを有する。これら第１および第２ケーシング３２，３３は、図２および図３に示すような相互に対向させた折り畳み状態と、図４に示す展開状態とにわたって、ヒンジ部３４によって相互に角変位自在に連結される。すなわち第１および第２ケーシング３２，３３は、前記折り畳み状態から、ヒンジ部３４と第１ケーシング３２の遊端部とを含む仮想一平面と、ヒンジ部３４と第２ケーシング３３の遊端部とを含む仮想一平面とのなす角度が、たとえば約１８０°となる位置まで、ヒンジ部３４を中心として相互に角変位自在に構成されている。
【００５１】
第１ケーシング３２には、前記第１操作部２が設けられる。第１操作部２は、第１および第２ケーシング３２，３３を相互に対向させた折り畳み状態で、第１ケーシング３２の第２ケーシング３３に対向する領域に設けられる。第２ケーシング３３には、第１表示部４が設けられる。第１表示部４は、第１および第２ケーシング３２，３３を相互に対向させた折り畳み状態で、第２ケーシング３３の第１ケーシング３２に対向する領域に設けられる。
【００５２】
第１表示部４および第１操作部２を、折り畳み状態で第１および第２ケーシング３２，３３の相互に対向する領域にそれぞれ設けることによって、第１および第２ケーシング３２，３３を展開状態としたとき、操作者は第１表示部４を見つつ第１操作部２によって情報を入力することができる。本実施の形態において展開状態とは、次のような状態である。すなわち第１および第２ケーシング３２，３３が相互に対向させた折り畳み状態で相互に対向する領域が、外部に露出する状態であって、操作者が、第１表示部４を目視することができるとともに、第１操作部２を操作することができる状態である。
【００５３】
第２ケーシング３３において第１表示部４の背面側、および第２ケーシング３３の一側面部には、前記第２操作部３が設けられる。換言すれば、第２操作部３は、折り畳み状態で第２ケーシング３３の外部に露出する領域、つまり折り畳み状態で第１および第２ケーシング３２，３３が相互に対向する領域を除く領域に設けられる。
【００５４】
キー操作部２５は、適当間隔おきに配設される３つの背面キー２５ａ，２５ｂ，２５ｃからなる。各背面キー２５ａ，２５ｂ，２５ｃが操作片に相当する。しかも、これら背面キー２５ａ，２５ｂ，２５ｃのうちの１つの背面キー２５ａは、後述する第２表示部５における矩形状表示エリアの一辺３５の中間付近に近接して配設される。前記背面キー２５ａを中央キー２５ａと定義する。別の背面キー２５ｂは、前記矩形状表示エリアの四隅のうちの１つ、つまり前記一辺３５とこの一辺３５に隣接する一辺３６との交点に近接して配設される。前記背面キー２５ｂを左キー２５ｂと定義する。残りの背面キー２５ｃは、矩形状表示エリアの四隅のうちの１つ、つまり矩形状表示エリアの一辺３５とこの一辺３５に隣接する他の一辺３７との交点に近接して配設される。前記背面キー２５ｃを右キー２５ｃと定義する。これら中央キー２５ａ、左キー２５ｂ、右キー２５ｃ、およびシャッタキー２６を選択的に操作することで、たとえば撮像画像のズームアップまたはズームダウン、画像データの仮保存および保存などが実行可能である。
【００５５】
第１表示部４に表示される所定の表示内容を目視可能な側から見て第２ケーシング３３の前記背面側には、第２表示部５が設けられる。したがって、第１表示部４の表示面と、第２表示部５の表示面とは、互いに離反する方向に臨む。言い換えれば、第１表示部４に表示される所定の表示内容を目視可能な側と、第２表示部５に表示される所定の表示内容を目視可能な側とは、第２ケーシング３３を挟んで相互に反対となる。第１ケーシング３２において第１操作部２の背面側には、カメラ部６と、アンテナ１６とが配置される。カメラ部６は、第１ケーシング３２の基端部つまりヒンジ部３４付近に設けられる。
【００５６】
第２ケーシング３３の他側面部には、前記着脱メモリをデータ出力部２１のコネクタに装着するための着脱メモリ取付孔４８が形成される。着脱メモリ取付孔４８は、第２ケーシング３３の外部空間と外部空間とを連通し、着脱メモリ取付孔４８に挿入された着脱メモリは、データ出力部２１に着脱自在に装着される。
【００５７】
前述した音声入力部１９は、第１ケーシング３２の内部空間で、遊端部の中央部に設けられる。第１および第２ケーシング３３，３４を相互に対向させた折り畳み状態で、第１ケーシング３２の第２ケーシング３３に対向する領域の遊端部には、前記音声入力部１９が設けられる第１ケーシング３２の内部空間と外部空間とを挿通する挿通孔が形成される。前述した音声出力部２０は、第２ケーシング３３の内部空間で、遊端部２４の中央部に設けられる。第１および第２ケーシング３２，３３を相互に対向させた折り畳み状態で、第２ケーシング３３の第１ケーシング３２に対向する領域の遊端部には、前記音声出力部２０が設けられる第２ケーシング３３の内部空間と外部空間とを挿通する挿通孔が形成される。第１操作部２の操作キー２ａには、たとえば数字に関数する情報および文字に関する情報を入力するためのテンキー４１と、十字キー４２と、決定キー４３と撮像に関する指令を入力するシャッタキー４４となどが含まれる。
【００５８】
図７は、携帯型情報処理装置１において、第２の画像情報を生成する手順を概略的に示すフローチャートである。前記第２メモリ９には、カメラ部６によって予め取得した複数の第１の画像情報が記憶されている。ステップｓ０からステップｓ１に移り、操作者によって第１操作部２から入力される指令に基づいて、制御部１０が、予め定める文字情報に対応する複数の項目を第１表示部４に表示させて、ステップｓ２に移る。
【００５９】
ステップｓ２では、操作者によって内部側入力部５から入力される指令に基づいて、制御部１０が、複数の項目のうちのいずれかを選択して、ステップｓ３に移る。ステップｓ３では、操作者によって内部側入力部５から入力される指令に基づいて、制御部１０が、第２メモリ９に記憶される第１の画像情報のうちのいずれか１つを選択して、ステップｓ４に移る。
【００６０】
ステップｓ４では、制御部１０が、ステップｓ２で選択された項目に対応する予め定める文字情報と、ステップｓ３で選択された第１の画像情報とを合成して、第２の画像情報を生成して、ステップｓ５に移る。ステップｓ５では、制御部１０が前記第２の画像情報を第１表示部５に表示させて、ステップｓ６に移り、処理を終了する。図７に示すフローチャートにおいてステップｓ３の処理は、ステップｓ０のステップｓ１の間に設けられてもよい。前記第２の画像情報は、たとえば、カメラ部６によって撮像した第１の画像情報を用いて生成されるオリジナルのカレンダを表す画像情報、および前記第１の画像情報を用いて生成される絵はがきを表す画像情報を含む。
【００６１】
図８および図９は、第２の画像情報であるオリジナルのカレンダを生成する手順を具体的に説明する図であり、第１表示部４に表示される表示画面を示す。第１表示部４の表示画面には、携帯型情報処理装置１の状態を表す状態表示領域５０が設けられる。制御部１０は、状態表示領域５０に、たとえば通信状態を示す情報、およびカメラ部６によって取得した第１の画像情報が記憶される場所を示す情報などを表す予め定める記号を表示させる。前記予め定める記号を、ピクトと呼ぶ。前記状態表示領域５０は、第１表示部４の表示画面において、前記第２ケーシング３３の遊端部寄りの端部に設けられる。
【００６２】
図８（１）は、第１表示部４に表示される第１選択メニュー５１を示す図である。第１操作部２によって予め定める指令を入力すると、制御部１０は、第１表示部４に第１選択メニュー５１を表示させる。第１表示部４に表示される第１選択メニュー５１のうちのいずれか１つには、制御部１０の制御指令によってカーソル５２が重ねて表示される。これによって操作者は第１選択メニュー５１のうちのいずれが選択されるのかを確認することができる。制御部１０は、第１表示部５から入力される指令に基づいて、前記カーソル５２を移動させる。前記カーソル５２は、十字キー４２を操作する、ここでは十字キー４２を押下することによって移動させることができる。制御部１０は、十字キー４２のうち上キー４３ａ、下キー４３ｂを含み、上キー４３ａが操作されるとカーソル５２を上方、つまり第２ケーシング３３の遊端部を上方とし、ヒンジ部３４を下方としたときの上方に移動させ、下キー４３ｂが操作されるとカーソル５２を下方、つまり第２ケーシング３３の遊端部を上方とし、ヒンジ部３４を下方としたときの下方に移動させる。
【００６３】
ここではカレンダを作成するために内部操作部５に設けられる十字キー４２によって、第１選択メニュー５１のうち、第１表示部４に表示される項目「５、オリジナルプリント画像」にカーソル５２を重ねて、決定キー４３を操作者が操作する。これによって制御部１０は、項目「５、オリジナルプリント画像」を選択する。
【００６４】
図８（２）は、第１表示部４に表示される第２選択メニュー５３を示す図である。第２選択メニュー５３は、前述した第１選択メニュー５１の項目「５、オリジナルプリント作成」の下位のメニューである。第１表示部４に表示される第２選択メニュー５３のうちのいずれか１つには、制御部１０の制御指令によってカーソル５２が重ねて表示される。これによって操作者は第２選択メニュー５３のうちのいずれが選択されるのかを確認することができる。制御部１０は、第１表示部５から入力される指令に基づいて、前記カーソル５２を移動させる。図８（１）に示す状態、つまり第１選択メニュー５１である「５、オリジナルプリント画像」にカーソル５２を重ねて、決定キー４３を操作者が操作すると、第１表示部４には、項目「１、カレンダ作成」および項目「２、絵はがき作成」を含む第２選択メニュー５３が表示される。前記第２選択メニュー５３は、予め定める文字情報に対応する。ここで操作者はカレンダを作成するために、第２選択メニュー５３のうち項目「１、カレンダ作成」にカーソル５２を重ねて、決定キー４３を操作する、ここでは押下する。これによって、制御部１０は項目「１、カレンダ作成」を選択する。
【００６５】
図８（３）は、第１表示部４に表示されるカレンダ設定メニュー５４を示す図である。カレンダ設定メニュー５４は、前述した項目「１、カレンダ作成」の下位のメニューである。図８（２）に示す状態、つまり第２選択メニュー５３に含まれる項目「１、カレンダ作成」にカーソル５２を重ねて、決定キー４３を操作者が操作すると、第１表示部４には、項目「レイアウト」、項目「作成年月選択」および項目「添付画像選択」を含むカレンダ設定メニュー５４が表示される。ここでは、項目「レイアウト」、項目「作成年月選択」および項目「添付画像選択」の順番に設定する場合について説明する。
【００６６】
項目「レイアウト」、項目「作成年月選択」および項目「添付画像選択」の下部には、それぞれの項目に関して設定された内容が表示される第１〜第３カレンダ設定内容表示領域５５，５６，５７が設けられる。本実施の形態では、展開状態で第１ケーシング３２を上とし、第２ケーシング３３を下としたときに、第１表示部４には上から順番に項目「レイアウト」、項目「作成年月選択」および項目「添付画像選択」が表示される。本実施の形態では、項目「レイアウト」の下部に第１カレンダ設定内容表示領域５５が表示され、項目「作成年月選択」の下部に第２カレンダ設定内容表示領域５６が表示され、および項目「添付画像選択」の下部に第３カレンダ設定内容表示領域５７が表示される。
【００６７】
第１表示部４に表示されるカレンダ設定メニュー５４の各項目に対応する第１〜第３カレンダ設定内容表示領域５５，５６，５７のうちのいずれか１つには、制御部１０の制御指令によってカーソル５２が重ねて表示される。これによって操作者はカレンダ設定メニュー５４の項目のうちのいずれの項目が選択されるのかを確認することができる。制御部１０は、第１表示部５から入力される指令に基づいて、前記カーソル５２を移動させる。カレンダ設定メニュー５４の項目に対応するカレンダ設定内容表示領域５５，５６，５７のいずれかにカーソル５２を合わせ、決定キー４３を操作することによって、対応するカレンダ設定選択メニュー６１，６２，６３が表示される。
【００６８】
図８（４）は、第１表示部４に表示される第１カレンダ設定選択メニュー６１を示す図である。第１カレンダ設定選択メニュー６１は、前述したカレンダ設定メニュー５４の項目「レイアウト」の下位のメニューである。図８（３）に示す状態、つまり第１カレンダ設定内容表示領域５５にカーソル５２を重ねて、決定キー４２を操作者が操作すると、第１表示部４には、項目「１２ヶ月表示（縦）」、項目「２、１ヶ月表示（横）」、項目「３、２ヶ月表示（縦）」および項目「４、２ヶ月表示（横）」を含む第１カレンダ設定選択メニュー６１が表示される。
【００６９】
第１表示部４に表示される第１カレンダ設定選択メニュー６１のうちのいずれか１つには、制御部１０の制御指令によってカーソル５２が重ねて表示される。これによって操作者は第１カレンダ設定選択メニュー６１のうちのいずれが選択されるのかを確認することができる。制御部１０は、第１表示部５から入力される指令に基づいて、前記カーソル５２を移動させる。
【００７０】
項目「１２ヶ月表示（縦）」を選択すると、生成される第２の画像情報を第１表示部４に表示させた場合、１ヶ月分のカレンダの日を表す数字を第１表示部４で縦方向、つまり上下方向に並べて表示される。項目「２、１ヶ月表示（横）」を選択すると、生成される第２の画像情報を第１表示部４に表示させた場合、１ヶ月分のカレンダの日を表す数字を第１表示部４で横方向、つまり左右方向に並べて表示される。項目「３、２ヶ月表示（縦）」を選択すると、生成される第２の画像情報を第１表示部４に表示させた場合、２ヶ月分のカレンダの日を表す数字を第１表示部４で縦方向、つまり上下方向に並べて表示される。項目「４、２ヶ月表示（横）」を設定すると、生成される第２の画像情報を第１表示部４に表示させた場合、２ヶ月分のカレンダの日を表す数字を第１表示部４で横方向、つまり左右方向に並べて表示される。
【００７１】
ここでは、第１カレンダ設定選択メニュー６１のうち項目「１２ヶ月表示（縦）」を選択する場合について示す。図８（４）に示す状態、つまり第１カレンダ設定選択メニュー６１のうち項目「１２ヶ月表示（縦）」にカーソル５２を重ねて、決定キー４３を操作者が操作すると、制御部１０は予め定める文字情報の表示形態を設定し、前記予め定める文字情報の表示形態の設定は、制御部１０に設けられる設定記憶部に記憶される。この後、制御部１０は第１表示部４に、カレンダ設定メニュー５４を再び表示させる。
【００７２】
図８（５）は、第１カレンダ設定選択メニュー６１の項目を選択した後で第１表示部４に表示されるカレンダ設定メニュー５４を示す図である。図８（４）に示す状態、つまり第１カレンダ設定選択メニュー６１の項目「１２ヶ月表示（縦）」にカーソル５２を重ねて、決定キー４３を操作者が操作すると、制御部１０は、第１表示部４に再びカレンダ設定メニュー５４を表示させる。このとき、第１カレンダ設定内容表示領域５５には、設定された内容が表示され、ここでは「１２ヶ月表示（縦）」という設定内容が表示される。これによって、操作者が設定された内容を確認することができる。また制御部１０は、カーソル５２を第２カレンダ設定内容表示領域５６に重ねて表示させる。
【００７３】
図８（５）は、第１表示部４に表示される第２カレンダ設定選択メニュー６２を示す図である。第２カレンダ設定選択メニュー６２は、前述したカレンダ設定メニュー５４の項目「作成年月選択」の下位のメニューである。図８（５）に示す状態、つまり第２カレンダ設定内容表示領域５６にカーソル５２を重ねて、決定キー４３を操作者が操作すると、制御部１０は第１表示部４に、予め定める文字情報に対応する複数の項目を含む第２カレンダ設定選択メニュー６２を表示させる。
【００７４】
第２カレンダ設定選択メニュー６２は、カレンダ情報に含まれるカレンダの年に対応する複数の項目、ここでは項目「１、２００３年」、項目「２、２００４年」、項目「３、２００５年」、項目「４、２００６年」、項目「５、２００７年」および項目「６、２００８年」を含む。本実施のさらに他の実施の形態において、前記第２カレンダ設定選択メニュー６２は、これに限らず、さらに他の項目が含まれていてもよい。
【００７５】
第１表示部４に表示される第２カレンダ設定選択メニュー６２の複数の項目うちいずれか１つには、制御部１０の制御指令によってカーソル５２が重ねて表示される。制御部１０は、第１表示部５から入力される指令に基づいて、前記カーソル５２を移動させる。ここでは、第２カレンダ設定選択メニュー６２に含まれる項目「１、２００３年」を選択する場合について示す。図８（６）に示す状態、つまり第２カレンダ設定選択メニュー６２に含まれる項目「１、２００３年度」にカーソル５２を重ねて、決定キー４３を操作者が操作すると、カレンダの年に関する情報が設定され、前記カレンダの年に関する情報は、制御部１０に設けられる設定記憶部に記憶される。この後、制御部１０は第１表示部４に、第３カレンダ設定選択メニュー６３を表示させる。
【００７６】
図９（１）は、第１表示部４に表示される第３カレンダ設定選択メニュー６３を示す図である。図８（６）に示す状態、つまり第２カレンダ設定選択メニュー６２の項目「１、２００３年」にカーソル５２を重ねて、決定キー４３を操作者が操作すると、第１表示部４には、第３カレンダ設定選択メニュー６３が表示される。
【００７７】
第３カレンダ設定選択メニュー６３は、予め定める文字情報に対応する項目であり、カレンダ情報に含まれるカレンダの月に対応する複数の項目であって、項目「１、１月」、項目「２、２月」、項目「３、３月」、項目「４、４月」、および項目「５、５月」〜項目「１２月」を含む。第１表示部４に表示される第３カレンダ設定選択メニュー６３の複数の項目うちいずれか１つには、制御部１０の制御指令によってカーソル５２が重ねて表示される。制御部１０は、第１表示部５から入力される指令に基づいて、前記カーソル５２を移動させる。操作者が第１操作部２を操作してカーソル５２を移動させることによって、制御部１０は図９（１）では表示されていない項目「５、５月」〜項目「１２、１２月」を表示させることができる。ここでは、第３カレンダ設定選択メニュー６３のうち項目「１、１月」を選択する場合について示す。図９（１）に示す状態、つまり第３カレンダ設定選択メニュー６３に含まれる項目「１、１月」にカーソル５２を重ねて、決定キー４３を操作者が操作すると、カレンダの月に関する情報が設定され、前記カレンダの月に関する情報は、制御部１０に設けられる設定記憶部に記憶される。この後、制御部１０は第１表示部４に、カレンダ設定メニュー５４を再び表示させる。
【００７８】
図９（２）は、第２カレンダ設定選択メニュー６２および第３カレンダ設定選択メニュー６３の各項目を選択した後で、第１表示部４に表示されるカレンダ設定メニュー５４を示す図である。図９（１）に示す状態、つまり第３カレンダ設定選択メニュー６３の「１２月」にカーソル５２を重ねて、決定キー４３を操作者が操作すると、制御部１０は、第１表示部４に再びカレンダ設定メニュー５４を表示させる。このとき、第２カレンダ設定内容表示領域５６には、設定された内容が表示され、ここでは、「２００３年１月」という設定内容が表示される。これによって操作者が設定された内容を確認することができる。また制御部１０は、カーソル５２を第３カレンダ設定内容表示領域５７に重ねて表示させる。
【００７９】
図９（３）は、第１表示部４に表示される第１の画像情報を示す図である。図９（２）に示す状態、つまり第３カレンダ設定内容表示領域５７にカーソル５２を重ねて、決定キー４３を操作者が操作すると、制御部１０は第１表示部４に、カメラ部６によって取得し、第２メモリ９または着脱メモリに記憶されている第１の画像情報を表示させる。本実施の形態では、第２メモリ９または着脱メモリに複数の第１の画像情報が記憶されている場合、制御部１０は、複数の第１の画像情報を第１表示部４に並べて表示させる。ここでは制御部１０は、たとえば第１表示部４の表示画面において、縦横３づつであり、合計９つの第１の画像情報を表示させる。制御部１０は、第１の画像情報を縮小して第１表示部４に表示させる。第１表示部４に表示される第１の画像情報うちいずれか１つには、制御部１０の制御指令によってカーソル５２が重ねて表示される。制御部１０は、第１表示部２から入力される指令に基づいて、前記カーソル５２を移動させる。
【００８０】
第１表示部４の下部寄りの表示領域には、カーソル５２が重ねられている第１の画像情報に対応する情報が表示される。前記第１の画像情報に対応する情報とは、たとえば第１の画像情報の識別情報である。前述したように第１の画像情報の識別情報は、第１の画像情報を第２メモリ９または着脱メモリに記憶させるときに、制御部１０によって付与され、たとえば番号で表される。ここでは複数の第１の画像情報のうち、識別情報「００１」の第１の画像情報が選択された場合について示す。複数の第１の画像情報のうち識別番号「００１」の第１の画像情報にカーソル５２を重ねて、決定キー４３を操作者が操作すると、合成する第１の画像情報が選択され、第１表示部４には、カレンダ設定メニュー５４が再び表示される。制御部１０は、前記選択された第１の画像情報に関する情報を、前記設定記憶部に記憶する。
【００８１】
図９（４）は、合成する第１の画像情報を選択した後で第１表示部４に表示されるカレンダ設定メニュー５４を示す図である。図９（３）に示す状態、つまり識別番号「００１」の第１の画像情報にカーソル５２を重ねて、決定キー４３を操作者が操作すると、制御部１０は、第１表示部４に再びカレンダ設定メニュー５４を表示させる。このとき、第３カレンダ設定内容表示領域５７には、設定された内容が表示され、ここでは「００１」という選択された第１の画像情報の識別情報が表示される。これによって操作者は、選択した内容を確認することができる。また制御部１０は、カーソル５２を第３カレンダ設定内容表示内容領域５７に重ねて表示させる。
【００８２】
前述した設定を終えた後、制御部１０はカレンダを生成するための全ての設定が完了していること表す情報５８を第１表示部４に表示させる。これによって、操作者は全ての設定が完了していることを確認することができる。前述した設定を終えた後、つまり第１〜第３カレンダ設定内容表示領域５５，５６，５７に設定内容が表示された状態で、たとえばシャッタキー４４を操作者が操作すると、制御部１０は、設定記憶部に記憶されている各情報に基づいて、前記項目に対応する予め定める文字情報と第１の画像情報とを合成して、第２の画像情報を生成する。予め定める文字情報と、第１の画像情報との合成は、たとえば両者をビットマップに変換して合成してもよく、またこれに限らず他の合成方法によって実現してもよい。制御部１０が設定記憶部に記憶される表示形態に関する情報と、前記カレンダの年に関する情報および月に関する情報とに基づいて、第２メモリ９に記憶される予め定める文字情報、つまり年、月、日および曜日などを表す暦を、前記表示部によって表示させるカレンダ情報を選択する。前記予め定める文字情報は、制御部１０によって生成されてもよい。
【００８３】
制御部１０は、生成した第２の画像情報を第１表示部４に表示させる。これによって、操作者は生成された第２の画像情報であるオリジナルのカレンダを確認することができる。
【００８４】
図９（５）は、第１表示部４に表示される第２の画像情報を示す図である。第２の画像情報は、ここでは２００３年１月のカレンダである。本実施の形態では予め定める文字情報として、たとえば「２００３年」などの年に関する項目である文字情報と、たとえば「１月」などの月に関する項目である文字情報と、たとえば「１〜３１」などの日に関する文字情報と、前記日に対応する「（月）、（火）、（水）、（木）、（金）、（土）、（日）」などの曜日に関する文字情報とが含まれる。図９（５）では、図が煩雑になるのを防止するため、日に関する文字情報として「１〜８」までを示している。
【００８５】
図９（５）に示す状態、つまり制御部１０が第２の画像情報を第１表示部４に表示させているときに、決定キー３４を操作すると、制御部１０は、第２の画像情報を第２メモリ９および着脱メモリのうち少なくともいずれか一方に記憶させる。前記第２の画像情報が記憶される場所に関する情報は、設定記憶部に記憶されている。生成された第２の画像情報を保存するか否かを操作者に選択させることによって、不所望な合成画像まで第２メモリ９および着脱メモリに保存されることが防止される。
【００８６】
前記制御部１０が予め定める文字情報と、第１の画像情報とを合成するときに、予め定める文字情報は、第１の画像情報の画像の領域に配置されてもよく、図９（５）に示すように、第１の画像情報の画像の領域には重ねず、第１の画像情報の画像の周囲に配置されてもよい。またたとえば撮像された第１の画像情報の階調値と、合成する予め定める文字情報の階調値とが近接する場合には、予め定める文字情報を識別することができるように、制御部１０は、予め定める文字情報の階調値を変更して合成してもよい。
【００８７】
制御部１０は、第２の画像情報は、たとえばＪＰＥＧデータ（ＪＰＥＧ：Joint
Photographic Experts Group）に変換し、予め定めるデータ形式で第２メモリ９および着脱メモリの少なくともいずれか一方に記憶させる。前記予め定めるデータ形式は、たとえばＤＰＯＦ（Digital Print Order Format）である。ＤＰＯＦでは、ＪＰＥＧデータとこのＪＰＥＧデータの作成日時などの情報を含む。このようなデータ形式で保存することによって、プリンタなどの印刷装置において、直接印刷することができるようになり、たとえばパーソナルコンピュータなどに第２の画像情報を読取らせてから印刷装置によって印刷する場合と比較して、第２の画像情報を印刷する手間を簡略化することができる。
【００８８】
着脱メモリに、第２の画像情報を複数のデータ形式で保存する場合、制御部１０は、データ形式ごとに所定の格納領域であるフォルダを設け、このフォルダにデータ形式ごとに格納する。これによって、着脱メモリをデータ出力部２１から離脱させて、他の機器によって記憶された第２の画像情報を読取るときに、他の機器において読取りを容易に行うことができる。
【００８９】
本実施の形態では、カレンダ設定メニュー５４の各メニューの設定を項目「レイアウト」、項目「作成年月選択」および項目「添付画像選択」の順番に行う場合について説明したが、これらはいずれの順番で選択されてもよい。
【００９０】
図１０および図１１は、第２の画像情報である絵はがきを生成する手順を、具体的に説明する図であり、第１表示部４に表示される表示画面を示す。図１０（１）は、第１表示部４に表示される第２選択メニュー５３を示す図である。ここでは、操作者は絵はがきを作成するために、図８（２）に示す状態、つまり項目「１、カレンダ作成」にカーソル５２を重ねた状態から、第１操作部５を操作してカーソル５２を移動させて、図１０（１）に示すように項目「２、絵はがき作成」に重ねて、決定キー３４を操作する。これによって制御部１０は、項目「２、絵はがき作成」を選択する。
【００９１】
図１０（２）は、第１表示部４に表示される絵はがき設定メニュー６４を示す図である。絵はがき設定メニュー６４は、前述した項目「２、絵はがき作成」の下位のメニューである。図１０（１）に示す状態、つまり第２選択メニュー５３に含まれる項目「２、絵はがき作成」にカーソル５２を重ねて、決定キー４３を操作者が操作すると、第１表示部４には、項目「レイアウト」、項目「用途選択」および項目「添付画像選択」を含む絵はがき選択メニュー６４が表示される。ここでは、項目「レイアウト」、項目「用途選択」および項目「添付画像選択」の順番に設定する場合について説明する。
【００９２】
項目「レイアウト」、項目「用途選択」および項目「添付画像選択」の下部には、それぞれの項目に関して設定された内容が表示される第１〜第３絵はがき設定内容表示領域６５，６６，６７が設けられる。本実施の形態では、展開状態で第１ケーシング３２を上とし、第２ケーシング３３を下としたときに、第１表示部４には上から順番に項目「レイアウト」、項目「用途選択」および項目「添付画像選択」が表示される。本実施の形態では、項目「レイアウト」の下部に第１絵はがき設定内容表示領域６５が表示され、項目「用途選択」の下部に第２絵はがき設定内容表示領域６６が表示され、および項目「添付画像選択」の下部に第３絵はがき設定内容表示領域６７が表示される。
【００９３】
第１表示部４に表示される絵はがき設定メニュー６４の各項目に対応する第１〜第３絵はがき設定内容表示領域６５，６６，６７のうちのいずれか１つには、制御部１０の制御指令によってカーソル５２が重ねて表示される。これによって操作者は絵はがき設定メニュー６４のうちのいずれの項目が選択されるのかを確認することができる。制御部１０は、第１表示部５から入力される指令に基づいて、前記カーソル５２を移動させる。絵はがき設定メニュー６４の項目に対応する絵はがき設定内容表示領域６５，６６，６７のいずれかにカーソル５２を合わせ、決定キー４３を操作することによって、対応する絵はがき設定選択メニュー７１，７２，７３が表示される。
【００９４】
図１０（３）は、第１表示部４に表示される第１絵はがき設定選択メニュー７１を示す図である。第１絵はがき設定選択メニュー７１は、前述した項目「レイアウト」の下位のメニューである。図１０（２）に示す状態、つまり第１絵はがき設定内容表示領域６５にカーソル５２を重ねて、決定キー４３を操作者が操作すると、第１表示部４には、項目「１、横向き（縦書き）」、項目「２、横向き（横書き）」、項目「３、縦向き（縦書き）」および項目「４、縦向き（横書き）」を含む第１絵はがき設定選択メニュー７１が表示される。第１表示部４に表示される第１絵はがき設定選択メニュー７１のうちのいずれか１つには、制御部１０の制御指令によってカーソル５２が重ねて表示される。これによって操作者は第１絵はがき設定選択メニュー７１のうちのいずれが選択されるのかを確認することができる。制御部１０は、第１表示部５から入力される指令に基づいて、前記カーソル５２を移動させる。
【００９５】
項目「１、横向き（縦書き）」を選択すると、合成する第１の画像情報を第１表示部４に横向き、つまり第１の画像情報の画像の上下方向を第１表示部４の左右方向、すなわち図１０の左右方向に合わせ、かつ第１の画像情報に合成される予め定める文字情報を縦書き、つまり文字が前記表示される画像の上下方向に並ぶように予め定める文字情報と第１の画像情報とが合成される。項目「２、横向き（横書き）」を選択すると、合成する第１の画像情報を第１表示部４に横向き、つまり第１の画像情報の画像の上下方向を第１表示部４の左右方向に合わせ、かつこの第１の画像情報に合成される予め定める文字情報を横書き、つまり文字が前記表示される画像の左右方向に並ぶように予め定める文字情報と第１の画像情報とが合成される。項目「３、縦向き（縦書き）」を選択すると、合成する第１の画像情報を第１表示部４に縦向き、つまり第１の画像情報の画像の上下方向を第１表示部４の上下方向に合わせ、かつこの第１の画像情報に合成される予め定める文字情報を縦書き、つまり文字が前記表示される画像の上下方向に並ぶように予め定める文字情報と第１の画像情報とが合成される。項目「４、縦向き（横書き）」を選択すると、合成する第１の画像情報を第１表示部４に縦向き、つまり第１の画像情報の画像の上下方向を第１表示部４の上下方向に合わせ、かつこの第１の画像情報に合成される予め定める文字情報を横書き、つまり文字が前記表示される画像の左右方向に並ぶように予め定める文字情報と第１の画像情報とが合成される。
【００９６】
ここでは、第１絵はがき設定選択メニュー７１のうち項目「１、横向き（縦書き）」を選択する場合について示す。図１０（３）に示す状態、つまり第１絵はがき設定選択メニュー７１のうち項目「１、横向き（縦書き）」にカーソル５２を重ねて、決定キー４３を操作者が操作すると、制御部１０は予め定める文字情報の表示形態を設定し、前記予め定める文字情報の表示形態の情報は、制御部１０に設けられる設定記憶部に記憶される。この後、制御部１０は第１表示部４に、カレンダ設定メニュー５４を再び表示させる。
【００９７】
図１０（４）は、第１絵はがき設定選択メニュー７１の項目を選択した後で第１表示部４に表示される絵はがき設定メニュー６４を示す図である。図１０（３）に示す状態、つまり第１絵はがき設定選択メニュー７１の項目「１、横向き（縦書き）」にカーソル５２を重ねて、決定キー４３を操作者が操作すると、制御部１０は、第１表示部４に再び絵はがき設定メニュー６４を表示させる。このとき、第１絵はがき設定内容表示領域７５には、設定された内容が表示され、ここでは「１、横向き（縦書き）」という設定内容が表示される。これによって操作者は、設定された内容を確認することができる。また制御部１０は、カーソル５２を第２カレンダ設定内容表示領域６６に重ねて表示させる。
【００９８】
図１０（５）は、第１表示部４に表示される第２絵はがき設定選択メニュー７２を示す図である。第２絵はがき設定選択メニュー７２は、前述したカレンダ設定メニュー６４の項目「用途選択」の下位のメニューである。図１０（４）に示す状態、つまり第２絵はがき設定内容表示領域６６にカーソル５２を重ねて、決定キー４３を操作者が操作すると、制御部１０は第１表示部４に、予め定める文字情報に対応する複数の項目を含む第２絵はがき設定選択メニュー７２を表示させる。
【００９９】
第２絵はがき設定選択メニュー７２は、用途に対応する複数の項目であって、ここでは項目「１、年賀状」、項目「２、暑中見舞」、項目「３、誕生日」、項目「４、クリスマス」および項目「５、定型文なし」を含む。本発明のさらに他の実施の形態において、前記第２絵はがき設定選択メニュー７２は、これに限らず、さらに他の項目が含まれていてもよい。用途に対応する複数の項目に関連づけされて、予め定める文字情報が第２メモリ９に記憶されている。たとえば「１、年賀状」に関連づけて、「あけましておめでとうございます」という定型文情報が第２メモリ９に記憶され、「２、暑中見舞」に関連づけて「暑中お見舞い申し上げます」という定型文情報が第２メモリ９に記憶され、「３、誕生日」に関連づけて、「お誕生日おめでとう！」という定型文情報が第２メモリ９に記憶され、「４、クリスマス」に関連付けて「メリークリスマス！」という定型文情報が第２メモリ９に記憶されている。ここでは、第２絵はがき設定選択メニュー７２のうち項目「１、年賀状」を選択する場合について示す。図１０（５）に示す状態、つまり第２絵はがき設定選択メニュー７２に含まれる項目「１、年賀状」にカーソル５２を重ねて、決定キー４３を操作者が操作すると、用途が設定され、前記用途に関する情報は、制御部１０に設けられる設定記憶部に記憶される。この後、制御部１０は第１表示部４に、絵はがき設定メニュー６４を再び表示させる。
【０１００】
図１１（１）は、第２絵はがき設定選択メニュー７２の項目を選択した後で第１表示部４に表示される絵はがき設定メニュー６４を示す図である。図１０（５）に示す状態、つまり第２絵はがき設定選択メニュー７２の項目「１、年賀状」にカーソル５２を重ねて、決定キー４３を操作者が操作すると、制御部１０は、第１表示部４に再び絵はがき設定メニュー６４を表示させる。このとき、第２絵はがき設定内容表示領域６６には、設定された内容が表示され、ここでは、「１、年賀状」という設定内容が表示される。これによって操作者は、設定された内容を確認することができる。また制御部１０は、カーソル５２を第３カレンダ設定内容表示領域５７に重ねて表示させる。
【０１０１】
図１１（１）に示す状態、つまり第３絵はがき設定内容表示領域６７にカーソル５２を重ねて、決定キー４３を操作者が操作すると、制御部１０は第１表示部４に、カメラ部６によって取得し、第２メモリ９または着脱メモリに記憶されている第１の画像情報を表示させる。図１１（２）は、第１表示部４に表示される第１画像情報を示す図である。本実施の形態では、第２メモリ９または着脱メモリに複数の第１の画像情報が記憶されている場合、図９（３）に示す場合と同様に、制御部１０は、複数の第１の画像情報を第１表示部４に並べて表示させる。
【０１０２】
第１表示部４の下部寄りの表示領域には、カーソル５２が重ねられている第１の画像情報に対応する情報が表示される。前記第１の画像情報に対応する情報とは、たとえば第１の画像情報の識別情報である。前述したように第１の画像情報の識別情報は、第１の画像情報を第２メモリ９または着脱メモリに記憶させるときに、制御部１０によって付与され、たとえば番号で表される。ここでは複数の第１の画像情報のうち、識別情報「００１」の第１の画像情報が選択された場合について示す。複数の第１の画像情報のうち識別番号「００１」の第１の画像情報にカーソル５２を重ねて、決定キー４３を操作者が操作すると、合成する第１の画像情報が選択され、第１表示部４には、絵はがき設定メニュー６４が再び表示される。
【０１０３】
図１１（３）は、合成する第１の画像情報を選択した後で第１表示部４に表示されるカレンダ設定メニュー６４を示す図である。図１１（２）に示す状態、つまり識別番号「００１」の第１の画像情報にカーソル５２を重ねて、決定キー４３を操作者が操作すると、制御部１０は、第１表示部４に再び絵はがき設定メニュー６４を表示させる。このとき、第３絵はがき設定内容表示領域６７には、設定された内容が表示され、ここでは「００１」という第１の画像情報の識別情報が表示される。これによって操作者は、設定された内容を確認することができる。また制御部１０は、カーソル５２を第３絵はがき設定内容表示領域５７に重ねて表示させる。
【０１０４】
前述した設定を終えた後、制御部１０は絵はがきを生成するための全ての設定が完了していること表す情報６８を第１表示部４に表示させる。前述した設定を終えた後、つまり第１〜第３絵はがき設定内容表示領域６５，６６，６７に設定内容が表示された状態で、たとえばシャッタキー４４を操作者が操作すると、制御部１０は、設定記憶部に記憶されている各情報に基づいて、予め定める文字情報と第１の画像情報とを合成して、第２の画像情報を生成する。つまり第３絵はがき設定内容表示領域６７に表示されている識別情報に対応する第１の画像情報と、第２絵はがき設定内容表示領域６６の設定内容に対応する予め定める文字情報、ここでは「あけましておめでとうございます」という文字情報を合成して、第２の画像情報を生成する。制御部１０は、生成した第２の画像情報を第１表示部４に表示させる。これによって、操作者は生成された第２の画像情報である絵はがきを確認することができる。
【０１０５】
図１１（４）は、第１表示部４に表示される第２の画像情報を示す図である。図１１（４）に示す状態、つまり制御部１０が第２の画像情報を第１表示部４に表示させているときに、決定キー３４を操作すると、制御部１０は、第２の画像情報を第２メモリ９および着脱メモリのうち少なくともいずれか一方に記憶させる。生成された第２の画像情報を保存するか否かを操作者に選択させることによって、不所望な合成画像まで第２メモリ９および着脱メモリに保存されることが防止される。
【０１０６】
以上のように本発明では、第３の従来の技術のように合成画像を生成するために文字情報を１文字ずつ入力する必要がなく、第１表示部４に表示される複数の項目のうちのいずれかを選択するという簡単な操作で、予め定める文字情報と第１の画像情報とを合成した合成画像を得ることができる。携帯電話装置などの携帯型情報処理装置１においては、操作入力部として設けられる操作キーの数が、たとえばパーソナルコンピュータのキーボートの操作キー数と比較して少ないが、前述の構成とすることによって、このような操作キーの数が少ない装置においても、文字情報と、撮像した画像情報とが合成された合成画像を容易な操作で得ることができる。
【０１０７】
本実施の形態では、第１操作部２および第２操作部３のうちの少なくともいずれか一方から予め定める指令を入力することによって、制御部１０は、第２メモリ９および着脱メモリの少なくともいずれかに記憶した第２の画像情報を電子メールに添付して、無線部１７から予め定める通知先に送信する。これによって、前記第２の画像情報が添付された電子メールを受信した装置の表示部に第２の画像情報を表示させてもよい。たとえば第１の画像情報と予め定める文字情報とを別々のデータとして送信するのではなく、１つのデータとして送信することができるので送信するデータ量を少なくすることができ、また受信側の装置において第１の画像情報と予め定める文字情報とを合成する必要がないので、受信側では画像情報を表示する機能を有していればよい。
【０１０８】
本発明の実施の形態において、制御部１０が第２の画像情報を生成するために用いる第１の画像情報は、カメラ部６によって取得したもののみを用いることができるようにしてもよい。この場合、制御部１０は、第１の画像情報の付与される識別情報を判別して、カメラ部６によって撮像された第１の画像情報のものであるか否かを判断する。
【０１０９】
本発明の実施のさらに他の形態において、制御部１０は、無線部１７によって受信した画像データと、予め定める文字情報とを合成して第２の画像情報を生成してもよい。この場合の手順は、前述したカメラ部６によって得られた第１の画像情報を、予め定める文字情報とを合成する手順と同様である。またこの場合、制御部１０は、受信した画像データに著作権に関する情報が含まれている否かを判断し、著作権に関する情報が含まれている場合には、受信した画像データを用いて第２の画像情報を生成しない。また本発明の実施のさらに他の形態において、第１操作部２に設けられる操作キー２ａを操作して、所望の文字情報を入力し、この所望の文字情報を第１の画像情報と合成してもよい。
【０１１０】
本発明の実施のさらに他の形態において、携帯型情報処理装置１は、近距離無線通信手段を備えてもよい。近距離無線通信手段は、たとえば赤外線通信規格およびブルートゥース（登録商標）規格などの無線通信の規格に沿って無線通信を行う。このように近距離無線通信手段を備えることによって、生成した第２の画像情報を、同様の近距離無線通信手段を有する他の機器に送信して、他の機器において第２の画像情報を利用することができるようになる。したがって、第２の画像情報の利用範囲が広がる。
【０１１１】
本発明の他の実施の形態において、制御部１０は、バーコードおよび２次元コード
（Quick Response Code；略称ＱＲコード）をデコードし、所定の情報を得る機能を有していてもよい。カメラ部６によって撮像された第１の画像情報にバーコードまたは２次元コードが含まれていると制御部１０が判断すると、制御部１０は、前記コード化された所定の情報をデコードして前記所定の情報を得る。たとえば、前記デコードによって電話番号に関する情報が得られた場合、制御部１０は得られた情報を第２メモリ２に電話帳データとして記憶させる。
【０１１２】
本実施の形態では、携帯型情報処理装置１を、折り畳み型の携帯電話機に適用しているが、携帯型情報処理装置１は、折り畳み型の携帯電話機に必ずしも限定されるものではない。たとえば第１ケーシング３２を第２ケーシング３３に対して相対的にかつ略平行にスライド変位させるスライド式、第１ケーシング３２をその厚み方向に平行な軸線方向まわりに第２ケーシング３３に対して回転変位させる回転式、これら折り畳み型，スライド式，回転式の構造を選択的に組み合わせた種々な携帯電話機に適用可能である。
【図面の簡単な説明】
【０１１３】
【図１】本発明の実施の一形態の携帯型情報処理装置１の電気的な構成を表すブロック図である。
【図２】携帯型情報処理装置１において、第２表示部５の表示画面とキー操作部２５との関係を示す図である。
【図３】折り畳んだ状態の携帯型情報処理装置１のカメラ部６を含む一表面部を表す図である。
【図４】展開状態の携帯型情報処理装置１を、その厚み方向一方側から見た図である。
【図５】折り畳んだ状態の携帯型情報処理装置１の一側面図である。
【図６】折り畳んだ状態の携帯型情報処理装置１の他側面図である。
【図７】携帯型情報処理装置１において、第２の画像情報を生成する手順を概略的に示すフローチャートである。
【図８】第２の画像情報であるオリジナルのカレンダを生成する手順を、具体的に説明する図である。
【図９】第２の画像情報であるオリジナルのカレンダを生成する手順を、具体的に説明する図である。
【図１０】第２の画像情報である絵はがきを生成する手順を、具体的に説明する図である。
【図１１】第２の画像情報である絵はがきを生成する手順を、具体的に説明する図である。
【符号の説明】
【０１１４】
１  携帯型情報処理装置
２  第１操作部
３  第２操作部
４  第１表示部
５  第２表示部
６  カメラ部
７  画像処理部
１０  制御部
２１  データ出力部
【図１】
2005063063.tif 000003
【図２】
2005063063.tif 000004
【図３】
2005063063.tif 000005
【図４】
2005063063.tif 000006
【図５】
2005063063.tif 000007
【図６】
2005063063.tif 000008
【図７】
2005063063.tif 000009
【図８】
2005063063.tif 000010
【図９】
2005063063.tif 000011
【図１０】
2005063063.tif 000012
【図１１】
2005063063.tif 000013